(57)【要約】【課題】  結露水の処理が容易となり、空気を効率的に冷却することができ、また、コンパクト化が図れる冷房装置を提供する。【解決手段】  ペルチェ素子１０と、ペルチェ素子により冷却される冷却フィン１１を下側に備えた冷房装置４において、冷却フィン１１を、結露水が下端に集まるように下方に向けて垂設するとともに、冷却フィン１１の下端縁を水平面に対し傾斜（下端傾斜部１１ａ）させて構成する。【選択図】  図２
2005291650.tif 000002
【特許請求の範囲】
【請求項１】
ペルチェ素子と、該ペルチェ素子により冷却される冷却フィンを下側に備えた冷房装置において、前記冷却フィンを結露水が下端に集まるように下方に向けて垂設するとともに、該冷却フィンの下端縁を水平面に対し傾斜させたことを特徴とする冷房装置。
【請求項２】
前記冷却フィンは、空気の流れる方向に連続する形状に形成されていることを特徴とする請求項１に記載の冷房装置。
【請求項３】
前記冷却フィンの上面のペルチェ素子組付面が水平をなし、冷却フィンの下端縁が水平面に対し傾斜していることを特徴とする請求項２に記載の冷房装置。
【請求項４】
風路を構成する部材の一部が、前記冷却フィンの傾斜した下端縁と平行に設けられていることを特徴とする請求項３に記載の冷房装置。
【発明の詳細な説明】
【技術分野】
【０００１】
本発明は、ペルチェ素子を用いた冷房装置に関するものである。
【背景技術】
【０００２】
従来、特許文献１に開示されているような冷房装置が存在する。
【特許文献１】特開２００１−７４２６９号公報
【発明の開示】
【発明が解決しようとする課題】
【０００３】
従来の冷房装置では、冷却フィンがペルチェ素子の上側に設けられているため、冷却フィンの表面で発生する結露水の処理が難しい。また、その結露水が、冷却フィンの下部（ペルチェ素子側）へ移動し滞留することにより、ペルチェ素子の冷却エネルギーが結露水を冷却するのに使われ、空気を冷やす効率を下げていた。さらに、冷房ユニット全体を傾ける等した場合には、組付性が悪くコンパクト化できないという問題点があった。
【課題を解決するための手段】
【０００４】
本発明は上記従来の問題点に鑑み案出したものであって、結露水の処理が良好にできて空気を効率的に冷却することができ、しかも、コンパクト化を図ることのできる冷房装置を提供せんとするものであり、請求項１は、ペルチェ素子と、該ペルチェ素子により冷却される冷却フィンを下側に備えた冷房装置において、前記冷却フィンを結露水が下端に集まるように下方に向けて垂設するとともに、該冷却フィンの下端縁を水平面に対し傾斜させたことである。
【０００５】
また請求項２は、前記冷却フィンは、空気の流れる方向に連続する形状に形成されていることである。
【０００６】
また請求項３は、前記冷却フィンの上面のペルチェ素子組付面が水平をなし、冷却フィンの下端縁が水平面に対し傾斜していることである。
【０００７】
また請求項４は、風路を構成する部材の一部が、前記冷却フィンの傾斜した下端縁と平行に設けられていることである。
【発明の効果】
【０００８】
本発明は、冷却フィンを結露水が下端に集まるように下方に向けて垂設し、冷却フィンの下端縁を水平面に対し傾斜させたことにより、結露水が水滴として落下しやすくなり、結露水を効率的に処理することができ、また、結露水を必要以上に冷却させることなく、エネルギーを無駄にせず、空気を効率的に冷却できるものとなる。
【０００９】
また、冷却フィンは、空気の流れる方向に連続する形状に形成されていることにより、結露水を効率的に収集して水滴として落下させることができ、結露水の処理が容易なものとなる。
【００１０】
また、冷却フィンの上面のペルチェ素子組付面が水平をなし、冷却フィンの下端縁が水平面に対し傾斜していることにより、結露水が水滴として落下しやすく、また、冷却フィンの上面の取付面が水平状をなしているため、風路に対し機器が平行になり、縦方向の寸法が短くなり、部品取り付け時の納まりも良く、コンパクト化が図れるものとなる。
【００１１】
また、風路を構成する部材の一部が、冷却フィンの傾斜した下端縁と平行に設けられていることにより、冷却フィンの下端で風路が絞られるため、風速が増し、吹き出される冷風が冷たく感じて、冷却効率が向上するものとなる。
【実施例】
【００１２】
以下、本発明の実施例を図面に基づいて説明する。
図１は、トイレの冷房装置を示すものであり、便器１の後方に設けられたキャビネット２内には、洗浄水を溜める洗浄タンク３が設けられており、キャビネット２の上面には、冷房装置４の吹出口５が便器１側へ向かって開口されて、吹出口５から便器１に着座した使用者の首筋や頭部等に向かって冷風を吹き出すことができるように構成されている。
なお、図中６は人体検知センサーである。即ち、人体検知センサー６が人体を検知した時に、冷房装置４が作動するように構成されている。
【００１３】
冷房装置４は、図２に概略図で示すように構成されており、冷房装置４は、ペルチェ素子１０を使用した冷房ユニット９と、ファン８を備えて構成され、冷房ユニット９は、ペルチェ素子１０の下側に冷却フィン１１が設けられており、この冷却フィン１１は、下方に向かって垂設された多数本の針状のフィンで構成されて、それぞれのフィン１１の下端縁は、水平面に対し傾斜した下端傾斜部１１ａ，１１ａ，１１ａを形成している。
【００１４】
なお、冷却フィン１１の上面は、風路Ｒを形成するカバー７，７と平行なほぼ水平状に形成されており、この上面取付面１１ｂ上にペルチェ素子１０が配置されている。
ペルチェ素子１０の上面側には、放熱フィンが設けられているが、この放熱フィンの外周は水冷ジャケット１２で包囲されており、水冷ジャケット１２には、入水口１２ａと出水口１２ｂが形成されており、前述した洗浄タンク３内の水が入水口１２ａから水冷ジャケット１２内に供給されて出水口１２ｂから排出され、洗浄水が循環することにより放熱フィンが冷やされるように構成されている。
【００１５】
なお、このような冷房ユニット９は、前記冷却フィン１１の部分が風路Ｒ内に配設されており、この冷却フィン１１の上流側の風路Ｒ内にファン８が設けられている。
このファン８が回転することにより、吸込口から空気を吸込み、ペルチェ素子１０で冷却された冷却フィン１１を通ることで空気が冷やされて、吹出口５から冷風が吹き出されるように構成されている。
【００１６】
本例では、冷房ユニット９の冷却フィン１１が下方に向けて垂設され、しかも下端に傾斜した下端傾斜部１１ａが形成されているため、空気を冷却する際に生じる結露水を、良好に流下させて収集し、下端より良好に落下させることができるものとなり、結露水の処理が容易となり、空気を効率的に冷却して吹出口５から吹き出すことができるものとなる。
【００１７】
また、冷却フィン１１は、ペルチェ素子１０に近い上部部位が低温となり、下端側はペルチェ素子１０から遠いために、上部部位に比べ低温とはなっておらず、結露水が冷却フィン１１の上端側で発生して下端側へ流れ落ちる際に、結露水が必要以上に冷却されることはないため、エネルギーを無駄にすることなく、空気を効率的に冷却できるものとなる。
即ち、冷却フィン１１の下端側まで低温であると、結露水をどんどん冷やしてゆき、冷やされた結露水を排出することとなるため、エネルギーが無駄になるのである。
【００１８】
次に、図３の概略図で示す冷房装置は、変更例を示すものであり、図３の冷房装置では、図４の斜視図で示すような冷却フィン１１が用いられている。
即ち、冷却フィン１１は、複数枚のプレートが間隔をおいて垂設されたものであり、各プレートの下端は水平面に対し傾斜した下端傾斜面１１ａに形成されている。
このようなプレート状の冷却フィン１１では、吸込口側から吹出口５側へ向かって流れる空気の流れる方向に連続する形状であるため、空気との接触面積が多くなり、良好に空気を冷却させることができるものとなり、結露水は良好に下方へ流れ落ち、下端傾斜面１１ａが形成されているため、水滴として下方へ落下させやすくなり、結露水を所望の部位に集めることができ、効率良く結露水を排出させて、空気を効率的に冷却できるものとなる。
【００１９】
次に、図５では、更なる変更例を示すものであり、図５では、図２で示した冷却フィン１１を、空気の流れ方向の上流側から下流側に向かって順次高さ寸法を短く設定したものであり、それぞれの冷却フィン１１の下端には下端傾斜部１１ａが形成されている。
このような構成においても、結露水は冷却フィン１１に沿って下方側へ流下し、下端傾斜部１１ａで良好に水切りされて下方へ落下しやすくなり、結露水を必要以上に冷却することなく良好に落下させて、空気を効率的に冷却できるものとなる。
【００２０】
なお、図２，図３，図５に示すような構成では、冷却フィン１１の上面取付面１１ｂはほぼ水平であるため、風路Ｒと平行状にペルチェ素子１０，水冷ジャケット１２を配置させることができ、縦方向の寸法が短くなり、部品組付け時の納まりもよく、冷房装置自体を小型化させることができ、図１のようにキャビネット２の上面等にコンパクトに組み付けできるものとなる。
【００２１】
次に、図６は変更例を示すものであり、図６では、冷房ユニット９全体を風路Ｒに対し傾斜させて配置したものであり、冷却フィン１１は上面取付面１１ｂと下端面１１ｃが平行状をなしているが、冷房ユニット９全体が傾いて配置されているため、冷却フィン１１の下端面１１ｃの一端側に結露水が集まりやすく、良好に一端側から結露水を落下させることができるものとなる。
【００２２】
次に、図７は、風路Ｒの形状を変更したものであり、図７では、冷却フィン１１の下端が傾斜した下端傾斜面１１ａとなっており、この下端傾斜面１１ａに平行状に、風路Ｒを形成するカバー７の一部にカバー傾斜部７ａを形成させたものであり、カバー傾斜部７ａと冷却フィン１１の下端傾斜面１１ａが間隔をおいて平行状をなし、この間の風路Ｒは傾斜した狭い傾斜狭路部Ｒａとなっている。
従ってこのような構成では、吸込口側から吹出口５側へ流れる空気が、この傾斜狭路部Ｒａで絞られて、この部分で風速が増し、風速の大なる冷風が吹出口５から吹き出されることとなるため、体感的に冷たく感じることができ、冷却効率が向上するものとなる。
【００２３】
なお、本例では、便器に設けた冷房装置を例示しているが、便器用に限らず、トイレ内に設置される冷房装置や、その他の衛生設備室等に設置される冷房装置にも同様な構造を採用することができるものである。
【図面の簡単な説明】
【００２４】
【図１】トイレ用の冷房装置の配置構成図である。
【図２】冷房装置の概略構成図である。
【図３】別例の冷房装置の概略構成図である。
【図４】図３の冷却フィンの斜視構成図である。
【図５】更に異なる冷房装置の概略構成図である。
【図６】冷房ユニットを傾斜状に配置させた冷房装置の概略構成図である。
【図７】風路を変更した冷房装置の概略構成図である。
【符号の説明】
【００２５】
１  便器
２  キャビネット
３  洗浄タンク
４  冷房装置
５  吹出口
７  カバー
７ａ  カバー傾斜部
８  ファン
９  冷房ユニット
１０  ペルチェ素子
１１  冷却フィン
１１ａ  下端傾斜部（下端傾斜面）
１１ｂ  上面取付面
１１ｃ  下端面
１２  水冷ジャケット
１２ａ  入水口
１２ｂ  出水口
Ｒ  風路
Ｒａ  傾斜狭路部
【図１】
2005291650.tif 000003
【図２】
2005291650.tif 000004
【図３】
2005291650.tif 000005
【図４】
2005291650.tif 000006
【図５】
2005291650.tif 000007
【図６】
2005291650.tif 000008
【図７】
2005291650.tif 000009